(57)【要約】【課題】設定し易く、選択し易い操作表示部を有する洗濯機を提供すること。【解決手段】タッチパネル表示部３８に、洗濯機に相当するイラストを表示する洗濯機表示画面７１と、複数種類の衣類のイラストを表示して衣類設定ボタン７０ａ〜７０ｇとして配置する衣類表示画面７０とを表示するとともに、使用者が衣類表示画面７０の衣類設定ボタン７０ａ〜７０ｇを指でタッチして衣類を選択し、洗濯機表示画面７１にドラッグ＆ドロップすることで、選択した衣類に合致した運転コースを設定する構成とすることにより、使用者が衣類に合う運転コースや内容を設定しなくても、タッチパネル表示部３８での指での簡単なタッチ操作により、洗濯したい衣類の特徴に応じてコースや内容を自動で設定するので、操作性を大きく向上することができる。【選択図】図１
2017079963.tif 000002
【特許請求の範囲】
【請求項１】
本体と、前記本体内に揺動自在に弾性的に支持された水槽と、前記水槽に回転自在に内包された回転ドラムと、前記回転ドラムを回転駆動するモータと、前記本体に設けられた操作表示部と、前記操作表示部に設けられた、指でのタッチ操作指示を受け付け、運転実行に必要な表示を行なうタッチパネル表示部と、前記モータ等を制御し、洗い、すすぎ、脱水等の各行程を制御する制御手段とを備え、前記制御手段は、タッチパネル表示部に、洗濯機に相当するイラストを表示する洗濯機表示画面と、複数種類の衣類のイラストを表示して衣類設定ボタンとして配置する衣類表示画面とを表示するとともに、前記衣類表示画面の前記衣類設定ボタンを指でタッチして衣類を選択し、前記洗濯機表示画面にドラッグ＆ドロップすることで、選択した衣類に合致した運転コースを設定する洗濯機。
【請求項２】
制御手段は、使用者が衣類表示画面の衣類設定ボタンを指でタッチして衣類を選択し、洗濯機表示画面にドラッグ＆ドロップすることで、選択した衣類に合致した運転コースを設定した後に、再度、前記衣類設定ボタンを指でタッチして衣類を選択し、洗濯機表示画面にドラッグ＆ドロップした時、初めに選択した衣類と再度選択した衣類の両方の衣類に合致した運転コースを設定する請求項１に記載の洗濯機。
【請求項３】
制御手段は、衣類表示画面の衣類設定ボタンを指でタッチして衣類を選択し、洗濯機表示画面にドラッグ＆ドロップすることで、選択した衣類に合致した運転コースを設定した後に、再度、前記衣類設定ボタンを指でタッチして、初めに選択した衣類と洗い方の異なる衣類を選択して、前記洗濯機表示画面にドラッグ＆ドロップした時、タッチパネル表示部に注意文を表示する請求項１または２に記載の洗濯機。
【発明の詳細な説明】
【技術分野】
【０００１】
本発明は、洗い、すすぎ、脱水などの行程を自動制御して行なう洗濯機に関するものである。
【背景技術】
【０００２】
従来、この種の洗濯機は、その操作表示装置部において、洗い時間、すすぎ回数、脱水時間を設定するボタンや、あるいは、運転コースを設定するボタンなどの各種の操作ボタンを配置した操作部と、設定内容や運転開始からの残り時間などを液晶パネルに表示する表示部とを備えた構成が提案されている（例えば、特許文献１参照）。
【０００３】
図１７は、特許文献１に記載された従来の洗濯機の操作表示装置部の正面図を示すものであり、図１８は、同洗濯機の操作表示装置部の制御装置の要部詳細図を示す。
【０００４】
図１７、図１８において、操作表示パネル１は、上面にシート材で構成されたパネルシート２をインサート成形している。操作表示パネル１に表示部３と操作部４を設け、表示部３に対応する位置に液晶パネル５を配し、操作部４に対応する位置に操作ボタン部６を配している。
【０００５】
行程ボタン６ａを操作することで、液晶パネル５に表示する洗い、すすぎ、脱水、乾燥の各運転時間や設定条件等を変更することができ、コースボタン６ｂを操作することで、液晶パネル５に表示する運転コースを変更することができ、洗濯乾燥切替ボタン６ｃを操作することで、洗濯コースのみ、洗濯〜乾燥の連続コース、乾燥コースのみ、および、ミストコースの切替えをすることができる。
【０００６】
また、洗濯機本体に電源を投入する電源入ボタン６ｄ、電源を遮断する電源切ボタン６ｅ、運転を開始させるスタートボタン６ｆが配置されている。
【０００７】
そして、操作表示パネル１の操作ボタン部６の対応する位置に設けたボタン式電気スイッチ７と、操作ボタン６が押されていることを報知するＬＥＤ素子８と、液晶パネル５とを積載した制御装置９とを樹脂ケース１０に固定している。樹脂ケースの周囲にはビス孔１１を設け、裏面からビス（図示せず）で操作表示パネル１に固定することで操作表示装置が形成されている。
【先行技術文献】
【特許文献】
【０００８】
【特許文献１】特開２００９−１８９６７８号公報
【発明の概要】
【発明が解決しようとする課題】
【０００９】
しかしながら、前記従来の構成では、操作表示パネル上に多数の操作ボタンが存在し、使用者が設定しようとしても、操作ボタンが多いために、操作が複雑となり、更に操作部と表示部が離れていることで設定した内容を表示部で確認しにくい、かつ、操作しにくいという課題を有していた。
【００１０】
本発明は、前記従来の課題を解決するもので、操作表示パネル部を指が触れることによって操作ができるタッチパネル方式にして操作をやり易くするとともに、タッチパネル上で使用者が選択した洗濯したい洗濯物の特徴に応じて、コースや設定内容を自動で設定す
ることにより、操作性を大きく向上させた洗濯機を提供することを目的とする。
【課題を解決するための手段】
【００１１】
前記従来の課題を解決するために、本発明の洗濯機は、本体と、前記本体内に揺動自在に弾性的に支持された水槽と、前記水槽に回転自在に内包された回転ドラムと、前記回転ドラムを回転駆動するモータと、前記本体に設けられた操作表示部と、前記操作表示部に設けられた、指でのタッチ操作指示を受け付け、運転実行に必要な表示を行なうタッチパネル表示部と、前記モータ等を制御し、洗い、すすぎ、脱水等の各行程を制御する制御手段とを備え、前記制御手段は、タッチパネル表示部に、洗濯機に相当するイラストを表示する洗濯機表示画面と、複数種類の衣類のイラストを表示して衣類設定ボタンとして配置する衣類表示画面とを表示するとともに、前記衣類表示画面の前記衣類設定ボタンを指でタッチして衣類を選択し、前記洗濯機表示画面にドラッグ＆ドロップすることで、選択した衣類に合致した運転コースを設定する構成としたものである。
【発明の効果】
【００１２】
本発明の洗濯機は、タッチパネル表示部で指での簡単なタッチ操作で洗濯したい衣類を選択すると、選択した衣類の特徴に応じてコースや設定内容を自動で設定でき、操作性を向上することができる。
【図面の簡単な説明】
【００１３】
【図１】本発明の実施の形態における洗濯機の縦断面図
【図２】同洗濯機の全体斜視図
【図３】同洗濯機の操作表示部の平面図
【図４】同洗濯機の操作表示部のタッチパネル表示部の画面例を示す図
【図５】同洗濯機の操作表示部のタッチパネル表示部の画面例を示す図
【図６】同洗濯機の操作表示部のタッチパネル表示部の画面例を示す図
【図７】同洗濯機の操作表示部のタッチパネル表示部の画面例を示す図
【図８】同洗濯機の操作表示部のタッチパネル表示部の画面例を示す図
【図９】同洗濯機の操作表示部のタッチパネル表示部の画面例を示す図
【図１０】同洗濯機の操作表示部のタッチパネル表示部の画面例を示す図
【図１１】同洗濯機の操作表示部のタッチパネル表示部の画面例を示す図
【図１２】同洗濯機の操作表示部のタッチパネル表示部の画面例を示す図
【図１３】同洗濯機の操作表示部のタッチパネル表示部の画面例を示す図
【図１４】同洗濯機の操作表示部のタッチパネル表示部の画面例を示す図
【図１５】同洗濯機の操作表示部のタッチパネル表示部の画面例を示す図
【図１６】同洗濯機の操作表示部のタッチパネル表示部の画面例を示す図
【図１７】従来の洗濯機の操作表示装置の正面図
【図１８】同洗濯機の操作表示装置の制御装置の要部詳細図
【発明を実施するための形態】
【００１４】
第１の発明は、本体と、前記本体内に揺動自在に弾性的に支持された水槽と、前記水槽に回転自在に内包された回転ドラムと、前記回転ドラムを回転駆動するモータと、前記本体に設けられた操作表示部と、前記操作表示部に設けられた、指でのタッチ操作指示を受け付け、運転実行に必要な表示を行なうタッチパネル表示部と、前記モータ等を制御し、洗い、すすぎ、脱水等の各行程を制御する制御手段とを備え、前記制御手段は、タッチパネル表示部に、洗濯機に相当するイラストを表示する洗濯機表示画面と、複数種類の衣類のイラストを表示して衣類設定ボタンとして配置する衣類表示画面とを表示するとともに、前記衣類表示画面の前記衣類設定ボタンを指でタッチして衣類を選択し、前記洗濯機表示画面にドラッグ＆ドロップすることで、選択した衣類に合致した運転コースを設定する構成としたものである。
【００１５】
この構成により、使用者が衣類に合う運転コースや内容を設定しなくても、タッチパネル表示部での指での簡単なタッチ操作で、洗濯したい衣類の特徴に応じてコースや内容を自動で設定するので、操作性を大きく向上することができる。
【００１６】
第２の発明は、特に、第１の発明の制御手段は、制御手段は、使用者が衣類表示画面の衣類設定ボタンを指でタッチして衣類を選択し、洗濯機表示画面にドラッグ＆ドロップすることで、選択した衣類に合致した運転コースを設定した後に、再度、前記衣類設定ボタンを指でタッチして衣類を選択し、洗濯機表示画面にドラッグ＆ドロップした時、初めに選択した衣類と再度選択した衣類の両方の衣類に合致した運転コースを設定する構成としたものである。
【００１７】
この構成により、使用者が衣類に合う運転コースや内容を設定しなくても、タッチパネル表示部での指での簡単なタッチ操作で、洗濯したい衣類の特徴に応じてコースや内容を自動で設定するので、操作性を大きく向上することができる。
【００１８】
第３の発明は、特に、第１または第２の発明の制御手段は、制御手段は、衣類表示画面の衣類設定ボタンを指でタッチして衣類を選択し、洗濯機表示画面にドラッグ＆ドロップすることで、選択した衣類に合致した運転コースを設定した後に、再度、前記衣類設定ボタンを指でタッチして、初めに選択した衣類と洗い方の異なる衣類を選択して、前記洗濯機表示画面にドラッグ＆ドロップした時、タッチパネル表示部に注意文を表示する構成としたものである。
【００１９】
この構成により、使用者は洗い方の異なる衣類を分けることにより、適切な洗い方ができるので、期待する洗い上がりを得ることができる。
【００２０】
以下、本発明の実施の形態について、図面を参照しながら説明する。なお、この実施の形態によって本発明が限定されるものではない。
【００２１】
（実施の形態１）
図１は、本発明の実施の形態における洗濯機の縦断面図、図２は、同洗濯機の全体斜視図を示すものである。
【００２２】
図１、図２において、洗濯機の本体１２内に、水槽１３が揺動自在に弾性支持され、水槽１３内に有底円筒形に形成された回転ドラム１４が、軸心方向を正面側から背面側に向けて下向きに傾斜させて、かつ回転自在に配設されている。
【００２３】
水槽１３の正面側には、回転ドラム１４の開口端に通じる衣類出入口１５が形成されている。本体１２の前面を構成する前部枠体１６の前部に形成された上向き傾斜面に投入開口部１７が設けられ、投入開口部１７を開閉する扉１８を開くことにより、衣類出入口１５を通じて回転ドラム１４内の洗濯物を出し入れすることができる。扉１８が上向き傾斜面に設けられているため、洗濯物を出し入れする作業が腰を屈めずに実施でき、水平横向きに設けた開口部から洗濯物を出し入れするドラム式洗濯機に比べて、作業性が良くなっている。
【００２４】
回転ドラム１４の周面には、水槽１３内に通じる多数の透孔１９が形成されており、回転ドラム１４は、水槽１３の背面側に取り付けられたモータ２０によって正転及び逆転方向に回転駆動される。また、水槽１３には、注水管路２１及び排水管路２２が配管接続されており、注水弁２３および排水弁２４の制御によって水槽１３内への注水及び排水がなされる。
【００２５】
前部枠体１６の上方と本体１２上部の天板２７との間には、操作表示部２５が配置されており、操作表示部２５の下部には、洗剤投入ケース２６が前方に引き出し可能となるように前部枠体１６に配置されている。使用者は、運転に先立ち、洗剤を洗剤投入ケース２６に入れ、必要に応じて操作表示部２５を操作することにより、希望する運転内容を設定したり、運転のスタート、一時停止を行ったり、運転の進行状態を認識したりすることができる。
【００２６】
また、本体１２の前部内面には、制御手段（図示せず）を有する制御装置５６が設けられており、制御手段は、操作表示部２５からの入力情報をもとに、モータ２０、注水弁２３、排水弁２４などを制御し、洗い，すすぎ，脱水、乾燥などの一連の行程を逐次制御する。
【００２７】
以上の構成により、扉１８を開いて回転ドラム１４内に洗濯物を投入して運転を開始すると、注水弁２３が開き、洗剤投入ケース２６内に水が注水され、洗剤投入ケース２６内に投入されていた洗剤を水で流しながら、注水管路２１を介して水槽１３内に所定量の注水がなされる。
【００２８】
水槽１３内が所定水位に到達すると、モータ２０により回転ドラム１４が回転駆動されて洗い行程が開始される。洗い行程の洗濯物は、回転ドラム１４の回転により回転方向に持ち上げられ、落下する撹拌動作が繰り返され、洗い動作がなされる。
【００２９】
そして、所要の洗い時間の後、排水弁２４が開き、汚れた洗濯液は、排水管路２２から排出され、回転ドラム１４を高速回転させる脱水動作により、洗濯物に含まれた洗濯液を脱水する。
【００３０】
その後、排水弁２４が閉じられ、水槽１３内に注水管路２１から注水を行い、すすぎ行程が実施される。このすすぎ行程においても、洗濯物には、回転ドラム１４の回転により撹拌動作が繰り返されてすすぎ洗いが実施され、以降の行程へと移行していく。
【００３１】
図３は、本発明の実施の形態における洗濯機の操作表示部の平面図を示すものである。
【００３２】
図３において、操作表示部２５には、使用者の指によるタッチ操作指示を受け付け、現在の洗濯機の状態や設定可能な選択肢といった運転実行に必要な表示を行うためのタッチパネル表示部３８を有している。
【００３３】
タッチパネル表示部３８は、液晶パネル（図示せず）に表示される表示内容を、液晶パネルの上面の透明電極（図示せず）、透明両面テープ（図示せず）及び透明板（図示せず）のそれぞれを透過して視認できる画面を示しており、使用者は、透明板の上を指で押圧、つまり、タッチ操作することにより画面の切替えや設定内容の変更等を行なうことができる。
【００３４】
そして、操作表示部２５には、タッチパネル表示部３８から分離、独立させたスタートスイッチ５４、電源入りスイッチ５２、電源切りスイッチ５３、戻るスイッチ５５を設けている。
【００３５】
スタートスイッチ５４は、洗濯機の運転コース等の各種設定を終えた後、使用者が洗濯機の動作の開始を指示するものである。電源入りスイッチ５２および電源切りスイッチ５３は、使用者が洗濯機の電源を入り切りするものである。戻るスイッチ５５は、使用者がタッチパネル表示部３８にて操作する際に、ひとつ手前の表示画面に戻す指示をするため
のものである。
【００３６】
図４〜図１６は、本発明の実施の形態における洗濯機の操作表示部のタッチパネル表示部に表示される画面例を示す図である。
【００３７】
図４〜図８において、タッチパネル表示部３８は、タッチパネル表示部３８に表示される表示内容に対して、表示内容の上を指でタッチ操作することで画面の切替えや設定内容の変更等を行なう。このように、タッチパネル表示部３８には、タッチ式の設定ボタンが表示される。
【００３８】
使用者はまず、操作表示部２５にある電源入りスイッチ５２を押すことで、本体１２に電源が供給され、タッチパネル表示部３８が点灯し、図４に示す表示内容が表示される。
【００３９】
図４は、電源投入後のタッチパネル表示部３８の初期画面である。
【００４０】
図４において、タッチパネル表示部３８の右側画面には、衣類表示画面７０が表示される。衣類表示画面７０には、衣類等を表すイラストを表示し、洗濯したい衣類等の特徴を表す衣類設定ボタンとして配置する。また、タッチパネル表示部３８の左側画面には、洗濯機表示画面７１が表示される。洗濯機表示画面７１には、洗濯機を表すイラストを表示する。
【００４１】
使用者は、扉１８を開いて、回転ドラム１４内に衣類を投入した後、衣類表示画面７０で洗濯したい衣類の特徴を表すイラストを選択する。本実施例では代表的な衣類を洗濯する操作例で説明する。
【００４２】
使用者は、図５のように、衣類表示画面７０の衣類を表すイラストからトレーナーの衣類設定ボタン７０ａを選択するために、タッチパネル表示部３８のトレーナーの衣類設定ボタン７０ａにタッチする。
【００４３】
そして、図６の実線矢印のように、そのまま、タッチパネル表示部３８から手を離さずに、洗濯機表示画面７１へトレーナーの衣類設定ボタン７０ａを移動する。
【００４４】
そして、図７のように、移動させたらタッチパネル表示部３８から手を離すと、トレーナーの衣類設定ボタン７０ａは、洗濯機表示画面７１の洗濯機を表すイラスト上に表示され、トレーナーを洗濯するのに適したコースが自動的に設定される（例えば、おまかせコース）。
【００４５】
同様の方法で、図８のように、Ｔシャツの衣類設定ボタン７０ｂ、ズボンの衣類設定ボタン７０ｃ、靴下の衣類設定ボタン７０ｄ、下着の衣類設定ボタン７０ｅを、洗濯機表示画面７１の洗濯機を表すイラスト上に移動させる。これによって、洗濯機を表すイラスト上に表示された衣類であるトレーナー、Ｔシャツ、ズボン、靴下、下着を洗濯するのに適したコースが自動的に設定される（例えば、おまかせコース）。
【００４６】
このように、衣類表示画面７０上の衣類を表すイラストの個別表示された衣類を、洗濯機表示画面７１の洗濯機を表すイラストに移動させるだけで、最適なコースや設定内容へと変化するようになっている。
【００４７】
図４、図９〜図１１において、操作表示部２５にある電源入りスイッチ５２を押すことで、洗濯機本体に電源が供給され、タッチパネル表示部３８が点灯し、図４（ａ）の初期画面が表示される。
【００４８】
図４の初期画面状態で、画面左の洗濯機表示画面７１上の洗濯機を表すイラスト、もしくは、その周辺をタッチする。そのまま画面から手を離さずにタッチした指を、上、もしくは、下に移動させることで、図９のように、運転するコースを選択し、設定することができる。ここでは、例として、おまかせコースに設定する。
【００４９】
おまかせコース選択後、図９のように、洗濯機表示画面７１の洗濯機を表すイラスト上に、おまかせコースに適している衣類を表示する。衣類表示画面７０には、衣類を表すイラストを、洗濯したい衣類の特徴を表す衣類設定ボタンとして配置している。
【００５０】
そして、ここで、図１０のように、衣類表示画面７０の衣類を表すイラストから、運動着７０ｆを、洗濯機表示画面７１の洗濯機を表すイラスト上に移動させると、これにより、図１１のように、おまかせコースに適している衣類と運動着７０ｆの組み合わせに適したコース、例えばパワフルコースへと、運転コースが変化する。ここでは、汚れた運動着７０ｆをしっかり洗うために、洗い時間が１０分から１５分に変更されている。すなわち、洗濯機表示画面７１の洗濯機を表すイラスト上にある衣類に適した運転コースへと変化する。
【００５１】
このように、使用者が衣類に合わせて運転コースを選ぶのではなく、使用者が洗濯したい衣類を選ぶことで、その衣類に適した運転コースへと変化するため、使用者は迷うことなく設定を行うことが可能である。
【００５２】
図４、図９、図１２〜図１４において、使用者は、まず操作表示部２５にある電源入りスイッチ５２を押すことで、洗濯機本体に電源が供給され、タッチパネル表示部３８が点灯し、図４の初期画面が表示され、その初期画面状態で、洗濯機表示画面７１の洗濯機を表すイラスト、もしくは、その周辺をタッチする。そのまま画面から手を離さずにタッチした指を、上、もしくは、下に移動させることで、例えば、図９のように、おまかせコースが設定される。
【００５３】
そして、ここで、図１２のように、衣類表示画面７０の衣類を表すイラストから、セーター７０ｇを、洗濯機表示画面７１の洗濯機を表すイラスト上に移動させると、これにより、図１３のように、おまかせコースに適している衣類とセーター７０ｇの組み合わせに適した運転内容へと、運転コースが変化する。ここでは、傷みやすい衣類であるセーターが洗濯機に入っているため、回転ドラム１４の回転数を下げるとともに、洗い時間が１０分から８分、すすぎ回数が２回から１回、脱水時間が７分から５分と、運転内容を変化させている。
【００５４】
また、ここでは、コース名は一時的に、おまかせ＋セーターとしているが、必要に応じて、図１４のように、五十音と数字の入力部７２を画面上に表示することができるので、使用者が運転コースの名前を、例えば、冬用のおまかせコースと名前を付けることができる。
【００５５】
そして、その名前を付けたコースの運転内容は、使用者独自の運転コースとして記憶し、繰り返し使用することができる。
【００５６】
図１５〜図１６において、冬用のおまかせコースと仮に名前を付けた、おまかせ＋セーターのコースを選択している時に、図１５のように、運動着７０ｆを、洗濯機表示画面７１の洗濯機を表すイラスト上に移動させる。セーター７０ｇは、傷まずに優しく洗濯することが、セーター特有の洗い方である。そのために、回転ドラム１４の回転数を下げたり、洗い時間などを変更したりすることで優しく洗濯する性能を実現しようとするが、その
ような運転内容で、強い汚れのある運動着７０ｆを洗濯した場合、汚れが落ちない虞が生じる。
【００５７】
そのため、洗濯機表示画面７１の洗濯機を表すイラスト上に運動着７０ｆを移動させた時には、図１６のように、汚れは落ちない虞があるので、分け洗いをお勧めするという意味の注意文７３を、タッチパネル表示部３８に表示して使用者に喚起する。
【００５８】
すなわち、洗い方の異なる衣類が洗濯機に入れられた場合、洗い方に合った運転を行うことができないという注意文を表示する。これにより、使用者が期待している結果にならないという事象、すなわち、洗濯物がきれいにならない、あるいは、洗濯物が傷むという事象を避けることができる。
【００５９】
このように、洗濯したい衣類をタッチパネル表示部３８上にて指でタッチして選択することにより、運転内容を変化させることで、視認性を上げ直感的に設定を行うことができる。
【００６０】
なお、上記、図４〜図８、図９〜図１１、図１２〜図１４のいずれの場合も、運転内容の設定が終了したとき、使用者は操作表示部２５に設けたスタートスイッチ５４を押すことで、運転を開始する。
【００６１】
なお、運転途中に運転を一時停止したいときは、スタートスイッチ５４を押すと、一時停止し、再開させたいときは、再びスタートスイッチ５４を押すことで、運転の再開ができる。
【００６２】
また、操作表示部２５に設けた電源切りスイッチ５３を押すことで、どのタイミングでも洗濯機の電源を切ることができる。
【００６３】
以上のように、本実施の形態においては、タッチパネル表示部３８に、洗濯機に相当するイラストを表示する洗濯機表示画面７１と、複数種類の衣類のイラストを表示して衣類設定ボタン７０ａ〜７０ｇとして配置する衣類表示画面７０とを表示するとともに、使用者が衣類表示画面７０の衣類設定ボタン７０ａ〜７０ｇを指でタッチして衣類を選択し、洗濯機表示画面７１にドラッグ＆ドロップすることで、選択した衣類に合致した運転コースを設定する構成とすることにより、使用者が衣類に合う運転コースや内容を設定しなくても、タッチパネル表示部３８での指での簡単なタッチ操作で、洗濯したい衣類の特徴に応じてコースや内容を自動で設定するので、操作性を大きく向上することができる。
【００６４】
また、使用者が衣類表示画面７０の衣類設定ボタン７０ａ〜７０ｇを指でタッチして衣類を選択し、洗濯機表示画面７１にドラッグ＆ドロップすることで、選択した衣類に合致した運転コースを設定した後に、再度、衣類設定ボタン７０ａ〜７０ｇを指でタッチして衣類を選択し、洗濯機表示画面７１にドラッグ＆ドロップした時、初めに選択した衣類と再度選択した衣類の両方の衣類に合致した運転コースを設定する構成とすることにより、使用者が衣類に合う運転コースや内容を設定しなくても、タッチパネル表示部３８での指での簡単なタッチ操作で、洗濯したい衣類の特徴に応じてコースや内容を自動で設定するので、操作性を大きく向上することができる。
【００６５】
また、使用者が衣類表示画面７０の衣類設定ボタン７０ａ〜７０ｇを指でタッチして衣類を選択し、洗濯機表示画面７１にドラッグ＆ドロップすることで、選択した衣類に合致した運転コースを設定した後に、再度、衣類設定ボタン７０ａ〜７０ｇを指でタッチして、初めに選択した衣類と洗い方の異なる衣類を選択して、洗濯機表示画面７１にドラッグ＆ドロップした時、タッチパネル表示部３８に注意文を表示する構成とすることにより、
使用者は洗い方の異なる衣類を分けることにより、適切な洗い方ができるので、期待する洗い上がりを得ることができる。
【産業上の利用可能性】
【００６６】
以上のように、本発明にかかる洗濯機は、使用者が衣類に合う運転コースや内容を設定しなくても、タッチパネル表示部での指での簡単なタッチ操作で、洗濯したい衣類の特徴に応じてコースや内容を自動で設定し、操作性を向上できるので、タッチパネル表示部を有している他の洗濯機の用途に適用できる。
【符号の説明】
【００６７】
１２  本体
１３  水槽
１４  回転ドラム
２０  モータ
２５  操作表示部
３８ タッチパネル表示部
７０  衣類表示画面
７０ａ〜７０ｇ  衣類設定ボタン
７１  洗濯機表示画面
７３  注意文
【図１】
2017079963.tif 000003
【図２】
2017079963.tif 000004
【図３】
2017079963.tif 000005
【図４】
2017079963.tif 000006
【図５】
2017079963.tif 000007
【図６】
2017079963.tif 000008
【図７】
2017079963.tif 000009
【図８】
2017079963.tif 000010
【図９】
2017079963.tif 000011
【図１０】
2017079963.tif 000012
【図１１】
2017079963.tif 000013
【図１２】
2017079963.tif 000014
【図１３】
2017079963.tif 000015
【図１４】
2017079963.tif 000016
【図１５】
2017079963.tif 000017
【図１６】
2017079963.tif 000018
【図１７】
2017079963.tif 000019
【図１８】
2017079963.tif 000020